(57)【特許請求の範囲】
【請求項１】
シックアンドシンヤーンと、該ヤーンより染着性が高くかつ長手方向に沿って太さ斑のないフィラメント糸との少なくとも２種類を混繊交絡処理することなく延伸仮撚加工した後、混繊交絡処理してなる複合仮撚加工糸であって、該加工糸が長手方向に沿って以下の（ａ）および（ｂ）の構成部分を含み、
（ａ）染着性の高いフィラメント糸の周りをシックアンドシンヤーンが非融着状態で巻付き、かつ該加工糸において淡染部となっている部分
（ｂ）染着性の高いフィラメント糸とシックアンドシンヤーンとが互いに混繊・交絡し、かつ該加工糸において濃染部となっている部分
かつ、このうち（ａ）の部分が該加工糸の６０〜９５％を占めており、かつ下記式で示される糸足差が５〜１５％の範囲であることを特徴とする淡色異染性フェザー調加工糸。
糸足差＝（Ｌｓ−Ｌｃ）／Ｌｃ×１００
（但し、ＬｓおよびＬｃは複合仮撚加工糸を任意の個所で５ｃｍにカットした中に含まれるシックアンドシンヤーンおよび染着性の高いフィラメント糸のそれぞれの全単繊維糸長の平均値を示す。）
【請求項２】
染着性の高いフィラメント糸がカチオン染料可染性フィラメント糸である請求項１記載の淡色異染性フェザー調加工糸。
【請求項３】
伸度８０〜１５０％のシックアンドシンヤーンと、伸度６０〜１００％でありかつ１．１〜１．４倍に冷延伸したものであり、かつ該ヤーンより染着性が高くかつ長手方向に沿って太さ斑のないフィラメント糸との少なくとも２種類を混繊交絡処理することなく延伸仮撚加工した後、混繊交絡処理することを特徴とする請求項１記載の淡色異染性フェザー調加工糸の製造方法。
【発明の詳細な説明】
【０００１】
【発明の属する技術分野】
本発明は異染性フェザー調加工糸、特に全体としては淡染であり、しかも濃淡コントラストがナチュラルな外観を呈する異染性フェザー調加工糸に関する。
【０００２】
【従来の技術】
従来、染着性の異なるフィラメント糸を組合わせ、濃染部と淡染部となる構造部分を形成し、濃、淡色の２色あるいは濃、中、淡色の３色の染着色相を混在化させることによりナチュラルな外観を表現できる異染性フェザー調加工糸が検討されてきている。
【０００３】
例えば、特公昭６２−５７７２８号公報には、高配向フィラメントの周りに、シックアンドシンヤーンのシック部が擬融着状態または融着状態で巻付いてなる濃染部と、該高配向フィラメント糸が該シックアンドシンヤーンのシン部に緩やかに回旋した状態で開花捲縮してなる淡染部とを交互に有し、その際該開花捲縮部においては、高配向フィラメント糸がシックアンドシンヤーンのシン部より濃染化するような染着差を有する異染性フェザー調加工糸が開示されている。
【０００４】
また、特許２８８２８３２号公報にはシックアンドシンヤーンと、該ヤーンより染着性が高く屈折率が該ヤーンのシック部とシン部の中間にある長手方向に太さ斑のないフィラメント糸からなる複合仮撚加工糸で、▲１▼染着性の高いフィラメント糸の周りに、シックアンドシンヤーンが非融着状態で被覆している淡染部、▲２▼シックアンドシンヤーンのシン部の周りに、染着性の高いフィラメント糸が非融着状態で巻付いている濃染部、▲３▼染着性の高いフィラメント糸とシックアンドシンヤーンが互いに混繊・交絡している中間色部からなる異染性フェザー調加工糸が開示され、前述の特公昭６２−５７７２８号公報で開示された加工糸よりも濃淡のコントラストピッチを長くできナチュラルな外観を表現できるとされている。
【０００５】
一方、最近こうしたフェザー調加工糸にも様々なニーズが出てきており、なかでも前述のような異染効果によるナチュラルな外観を有しながら、かつ全体としては淡色となる加工糸の要求が高まってきている。しかしながら、上記の従来提案されている加工糸はいずれも濃染部、つまり染着性の高いフィラメント糸が表面に出ている部分が多く、これを全体として淡色とするには染料を少なくして淡色に染めるなどの方法が考えられるが、その場合には染着性の高いフィラメント糸まで淡色となり、その結果、濃淡部の染着差が小さくなり明瞭な濃淡コントラストが得られないといった問題がある。
【０００６】
【発明が解決しようとする課題】
本発明の目的は、全体としては淡色に染色することができ、しかも濃淡コントラストが明瞭でナチュラルな外観を有する織編物が得られる異染性フェザー調加工糸を提供することにある。
【０００７】
【課題を解決するための手段】
本発明者らは上記目的を達成すべく鋭意検討した結果、互いに異染性を示す少なくとも２種類以上のフィラメント糸の染着差と、それらの糸条による２種の構造を巧みに組合せるとき、所望の淡色異染性フェザー調加工糸が得られることを見出し、本発明を完成させるに至った。
【０００８】
かくして本発明によれば、シックアンドシンヤーンと、該ヤーンより染着性が高くかつ長手方向に沿って太さ斑のないフィラメント糸との少なくとも２種類を混繊交絡処理することなく延伸仮撚加工した後、混繊交絡処理してなる複合仮撚加工糸であって、該加工糸が長手方向に沿って以下の（ａ）および（ｂ）の構成部分を含み、
（ａ）染着性の高いフィラメント糸の周りをシックアンドシンヤーンが非融着状態で巻付き、かつ該加工糸において淡染部となっている部分
（ｂ）染着性の高いフィラメント糸とシックアンドシンヤーンとが互いに混繊・交絡し、かつ該加工糸において濃染部となっている部分
かつ、このうち（ａ）の部分が該加工糸の６０〜９５％を占めており、かつ下記式で示される糸足差が５〜１５％の範囲であることを特徴とする淡色異染性フェザー調加工糸が提案される。
糸足差＝（Ｌｓ−Ｌｃ）／Ｌｃ×１００
（但し、ＬｓおよびＬｃは複合仮撚加工糸を任意の個所で５ｃｍにカットした中に含まれるシックアンドシンヤーンおよび染着性の高いフィラメント糸のそれぞれの全単繊維糸長の平均値を示す。）
【０００９】
【発明の実施の形態】
本発明の加工糸はシックアンドシンヤーンと、該ヤーンより染着性が高くかつ長手方向に沿って太さ斑のないフィラメント糸（以下染着性の高いフィラメント糸と称す）との少なくとも２種類を混繊交絡処理することなく延伸仮撚加工した後、混繊交絡処理してなる複合仮撚加工糸である。
【００１０】
本発明において、各フィラメントを構成するポリマーとしてはポリエステルが好ましく、特にポリエチレンテレフタレートが好ましい。この際、上記のような染着差が発現するものとしては、通常のポリエチレンテレフタレートからなる分散染料可染性のシックアンドシンヤーンとカチオン染料可染性フィラメント糸の組合わせが好ましい。また、このような異種染料で染着差が発現する組み合わせだけでなく、同一染料に対して染着性の異なる組合わせとしてもよく、例えば、ポリエチレンテレフタレートからなる糸と、従来公知である第３成分を共重合し分散染料に対して濃染性あるいは淡染性としたポリエチレンテレフタレートからなる糸とを組合せてもよい。
【００１１】
本発明の加工糸は長手方向に沿って以下の（ａ）および（ｂ）の構成部分を含む加工糸である。
（ａ）染着性の高いフィラメント糸の周りをシックアンドシンヤーンが非融着状態で巻付き、かつ該加工糸において淡染部となっている部分
（ｂ）染着性の高いフィラメント糸とシックアンドシンヤーンとが互いに混繊・交絡し、かつ該加工糸において濃染部となっている部分
【００１２】
なお、上記の（ａ）には、染着性の高いフィラメント糸単独にシックアンドヤーンが巻付いている部分のみでなく、染着性の高いフィラメント糸を含み、該フィラメント糸とシックアンドシンヤーンが混繊しているヤーンにシックアンドシンヤーンが巻付いている部分も含まれる。
【００１３】
本発明では、前記の２種類のフィラメント糸を組合せることによって、シックアンドシンヤーンにおいて伸度の高いシック部では主に該ヤーンが染着性の高いフィラメント糸の周りに巻付いて（ａ）の部分を形成し、また、伸度の低いシン部では主に該ヤーンと染着性の高いフィラメント糸とが互いに混繊・交絡して（ｂ）の部分を形成しているのである。
【００１４】
この際、（ａ）の部分が該加工糸の６０〜９５％、好ましくは７５〜９５％を占めていることが全体として淡色で、かつ、ナチュラルな外観とするために肝要である。ここで淡染部となっている（ａ）の部分が６０％未満では、これを織編物とし染色しても全体として淡色とはならず、また、９５％を越えると濃染部である（ｂ）の部分が少なくなり過ぎ濃淡のコントラストが明瞭なものとならずナチュラルな外観が得られない。
【００１５】
本発明においては、シックアンドシンヤーンを構成するフィラメントの糸長を、染着性の高いフィラメント糸を構成するフィラメントの糸長よりも長く、下記式で示される糸足差が５％以上であることが、シックアンドシンヤーン、特に該ヤーンのシック部が染着性の高いフィラメント糸の周りに巻付き、該加工糸において（ａ）の部分が大半を占める構造とする上で肝要である。また、該糸足差を１５％以下とすると、後工程、特に巻返し、撚糸といった準備工程で糸ずれが発生し難くより好ましい。
糸足差＝（Ｌｓ−Ｌｃ）／Ｌｃ×１００
（但し、ＬｓおよびＬｃは複合仮撚加工糸を任意の個所で５ｃｍにカットした中に含まれるシックアンドシンヤーンおよび染着性の高いフィラメント糸のそれぞれの全単繊維糸長の平均値を示す。）
【００１６】
このような加工糸は、例えばシックアンドシンヤーンと、該ヤーンより伸度が小さく染着性の高いフィラメント糸との少なくとも２種類を延伸仮撚加工した後、混繊交絡処理することによって容易に得ることができる。
【００１７】
上記のようにシックアンドシンヤーンの伸度よりも染着性の高いフィラメント糸の伸度を小さくすることによって、延伸仮撚加工でシックアンドシンヤーンの糸長が長くなるような糸足差を発現し、その結果、染着性の高いフィラメント糸の周りにシックアンドシンヤーンに非融着で巻付いた（ａ）の構造部分が大半を占めるような構造を容易に成形することができるのである。シックアンドシンヤーンと染着性の高いフィラメント糸の伸度差は２０〜６０％が好ましく、また、シックアンドシンヤーンおよび染着性の高いフィラメント糸の伸度としては、それぞれ８０〜１５０％、６０〜１００％が好ましい。
【００１８】
この際、染着性の高いフィラメント糸としては、１．１〜１．４倍程度に冷延伸したものを用いる方が、延伸仮撚加工で該フィラメント糸が高収縮して糸足差が発現し、該フィラメント糸にシックアンドシンヤーンが巻付いた構造を容易に成形できるだけでなく、冷延伸の比率を変えることで同一原糸でも該加工糸において多彩な杢感を表現できる点でより好ましい。
【００１９】
該加工糸の製造方法においては、上記のシックアンドシンヤーンと染着性の高いフィラメント糸との少なくとも２種類を引き揃えて混繊交絡処理することなく延伸仮撚加工した後、さらに繊維形状を保持し、製編織性を高めるため混繊交絡処理することが肝要である。この場合、延伸仮撚加工でシックアンドシンヤーンの糸長が長くなるように糸足差を発現し、これを混繊交絡処理で染着性の高いフィラメント糸の表面に巻付けた（ａ）のような構造を成形し易い点で上記のように延伸仮撚加工してから混繊交絡処理することが肝要である。
【００２０】
具体的な延伸仮撚加工条件としては、例えば、シックアンドシンヤーンと染着性の高いフィラメント糸とを引き揃えて、延伸倍率を１．２０〜１．４０程度、加工温度を８０〜２００℃の融着を伴わない温度とし、以下の式で示す仮撚数を採用して延伸仮撚加工を行なった後、インターレース処理などにより混繊交絡処理を施すことにより、本発明の目的とする加工糸を得ることができる。
仮撚数（Ｔ／ｍ）＝３２５００・α／Ｄ1/2
（ここでαは０．６〜１．２、Ｄは延伸仮撚加工後のトータルデニールを示す。）
【００２１】
【実施例】
以下、実施例により本発明をさらに詳細に説明する。
【００２２】
［実施例１］
伸度が１３０％の１００デニール／４８フィラメントのシックアンドシンヤーンと、１３０デニール／２４フィラメントの５−ナトリウムスルホイソフタル酸を２．６モル％共重合したポリエチレンテレフタレートのフィラメント糸（カチオン染料可染性フィラメント糸；伸度１１０％）を１．２倍で冷延伸し伸度を８５％としたフィラメント糸とを引き揃えて、延伸倍率が１．２５倍、仮撚温度が１６０℃、仮撚数が２２５０Ｔ／ｍ（α＝０．９）、加工速度が２５０ｍ／分の条件下で延伸仮撚加工を行なった後、圧空圧を４ｋｇ／ｃｍ2としたインターレース処理で交絡を付与して巻き取った。
【００２３】
上記加工糸を拡大鏡で観察したところ、本発明でいう（ａ）および（ｂ）で構成された加工糸が得られた。該加工糸について任意の個所で１ｍを選び、これを黒色のボール紙に貼りつけ（ａ）の構造となっている部分の長さを測定し、その１ｍ中に（ａ）の部分が占める割合を計算した結果７２％であった。
【００２４】
さらに、得られた加工糸を任意の位置で５ｃｍの長さにカットし、それぞれをシックアンドシンヤーンとカチオン染料可染性フィラメント糸とに分けた後、前述の式に基いて糸足差を計算したところ、０．１１であった。
【００２５】
次ぎにこの加工糸を平組織に製織したが、巻返し、撚糸といった準備工程でも糸ずれなどによるトラブルも発生せず、製織工程でも安定した製織が可能であった。さらに、製織した織物をカチオン染料で黒色に染色した結果、織物全体としては淡色に染色され、しかも、明瞭な濃淡のコントラストを呈しナチュラルな外観を有する織物が得られた。該織物をほぐして得た加工糸を５％縮めた状態で黒色のボール紙に貼りつけこれを拡大鏡で観察したところ大半を占める（ａ）の部分が白に近い薄いグレーに、（ｂ）の部分が黒に近い濃いグレーに染まっているのが確認できた。
【００２６】
［実施例２］
実施例１において、伸度が１４０％のシックアンドシンヤーンと、伸度が１００％のカチオン可染性フィラメント糸を１．２倍で冷延伸し伸度を８０％としたフィラメント糸を用いた以外は実施例１と同様にして加工糸を得た。該加工糸において（ａ）の部分が占める割合は８５％、糸足差は１４％であった。該加工糸は実施例１と同様、準備工程、製織工程での加工性、製織性が良好であり、得られた織物は染色後全体として実施例１よりもさらに淡色となったが、濃淡コントラストは明瞭でナチュラルな外観を呈していた。
【００２７】
［比較例１］
実施例１において、シックアンドシンヤーンおよびカチオン可染性フィラメント糸の伸度をともに１１０％とし、カチオン可染フィラメント糸には冷延伸していないものを用いた以外は実施例１と同様にして加工糸を得た。該加工糸において（ａ）の部分が占める割合が５５％、糸足差が２％であった。該加工糸は実施例１と同様、準備工程、製織工程での加工性、製織性は良好であったが、得られた織物は染色後全体として中間色となり目的とする淡色の織物は得られなかった。
【００２８】
【発明の効果】
本発明の加工糸は、染着性の高いフィラメント糸の周りに染着性の低いシックアンドシンヤーンが巻き付いている淡染部分が大半を占める構造となっており、しかも両方の糸が混繊・交絡している濃染部分では明瞭な濃染性を示すため、全体として淡色であり、かつ濃淡コントラストがはっきりしたナチュラルな外観を有する織編物を得ることができるといった効果を奏する。また、シックアンドシンヤーンのシック部とシン部の長さを変えることによって濃淡コントラストピッチを任意に調整でき、ユーザーからの様々な要求にも対応できるものである。